(57)【要約】【課題】足部の位置ずれを防止する。【解決手段】緩み防止風呂椅子は、足部１およびシート部２を備え、足部１の間に座面荷重支柱３が設けられ、シート部２の下端にバッククッション４が設けられ、バッククッション４の一端に座面５が延設され、座面５にスロット６が設けられ、座面荷重支柱３に回転接続ロッド７が嵌め合わされ、回転接続ロッド７の頂端に回転ピン８が設けられ、回転ピン８は座面５を貫通し、それと軸方向で接続し、回転接続ロッド７に締め付け部材が設けられ、プランジャ９内に凹溝が設けられ、プランジャ９とスロット６とは対応して係合する。【選択図】図１
2017192731.tif 000002
【特許請求の範囲】
【請求項１】
足部およびシート部を備え、
前記足部の間に座面荷重支柱が設けられ、
前記シート部の下端にバッククッションが設けられ、
前記バッククッションの一端に座面が延設され、
前記座面にスロットが設けられ、
前記座面荷重支柱に回転接続ロッドが嵌め合わされ、
前記回転接続ロッドの頂端に回転ピンが設けられ、
前記回転ピンは座面を貫通し、それと軸方向で接続し、
前記回転接続ロッドに締め付け部材が設けられ、
前記締め付け部材はプランジャであり、
前記プランジャ内に凹溝が設けられ、
前記プランジャとスロットとは対応して係合する
緩み防止風呂椅子。
【請求項２】
前記座面荷重支柱の両端は足部に固定して設けられ、かつ回転接続ロッドによりシート部と動的に接続し、
シート部を垂直にして片付けた状態において、前記回転接続ロッドと座面とは水平位置を保ち、前記プランジャはスロット内に挿合される
請求項１に記載の緩み防止風呂椅子。
【請求項３】
前記座面荷重支柱の両端は足部に固定して設けられ、かつ回転接続ロッドによりシート部と動的に接続し、
シート部を水平にして置いた状態において、前記回転接続ロッドと座面とは垂直位置を保ち、前記プランジャとスロットとは分離状態にある
請求項１に記載の緩み防止風呂椅子。
【請求項４】
前記プランジャの直径はスロットの幅と一致する
請求項１に記載の緩み防止風呂椅子。
【発明の詳細な説明】
【技術分野】
【０００１】
本発明は、椅子に関し、特に、折り畳んだ後に位置ずれしにくい風呂椅子に関する。
【背景技術】
【０００２】
現在、風呂椅子は、通常、人の入浴またはシャワー時に補助機能を有し、多くは老人用または子供用として使用される。従来の折り畳み式風呂椅子は片付けられた後で自重により前足部が開いて位置ずれし易く、風呂椅子の使用に影響を及ぼす。当該欠点を解消するために、従来、回転箇所に締め付け装置を増設するように改良されている。しかし、当該締め付け装置は構造が複雑であり、コストが高く、使用寿命が短い。
【０００３】
特許文献１は、前脚に対して後脚を開閉できるように軸支し、不使用時にコンパクトに折り畳むことのできる折り畳み椅子を開示している。
【先行技術文献】
【特許文献】
【０００４】
【特許文献１】特開２０１１−５０６４１号公報
【発明の概要】
【発明が解決しようとする課題】
【０００５】
本発明は、足部の位置ずれを防止する緩み防止風呂椅子を提供することを目的とする。
【課題を解決するための手段】
【０００６】
上記目的を達成するため、本発明の一態様に係る緩み防止風呂椅子は、足部およびシート部を備え、前記足部の間に座面荷重支柱が設けられ、前記シート部の下端にバッククッションが設けられ、前記バッククッションの一端に座面が延設され、前記座面にスロットが設けられ、前記座面荷重支柱に回転接続ロッドが嵌め合わされ、前記回転接続ロッドの頂端に回転ピンが設けられ、前記回転ピンは座面を貫通し、それと軸方向で接続し、前記回転接続ロッドに締め付け部材が設けられ、前記締め付け部材はプランジャであり、前記プランジャ内に凹溝が設けられ、前記プランジャとスロットとは対応して係合する。
【発明の効果】
【０００７】
本発明の緩み防止風呂椅子は、足部の位置ずれを防止し得る。
【図面の簡単な説明】
【０００８】
【図１】実施の形態の緩み防止風呂椅子の構造を示す概観図である。
【図２】実施の形態の緩み防止風呂椅子の構造を示す下面図である。
【図３】実施の形態の緩み防止風呂椅子の構造を示す立体図である。
【図４】実施の形態の緩み防止風呂椅子の構造を示す背面図である。
【発明を実施するための形態】
【０００９】
以下、本実施の形態に係る緩み防止風呂椅子について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。なお、各図は、模式図であり、必ずしも厳密に図示されたものではない。
【００１０】
（実施の形態）
以下、本発明について、図面および実施例を結び付けて詳細に説明する。本発明に対する限定であると理解するものではない。
【００１１】
図１〜図４に示すように、緩み防止風呂椅子は、足部１およびシート部２を備え、足部１の間に座面荷重支柱３が設けられ、シート部２の下端にバッククッション４が設けられ、バッククッション４の一端に座面５が延設され、座面５にスロット６が設けられ、座面荷重支柱３に回転接続ロッド７が嵌め合わされ、回転接続ロッド７の頂端に回転ピン８が設けられ、回転ピン８は座面５を貫通し、それと軸方向で接続し、回転接続ロッド７に締め付け部材が設けられ、締め付け部材はプランジャ９であり、プランジャ９内に凹溝１０が設けられ、プランジャ９とスロット６とは対応して係合する。
【００１２】
座面荷重支柱３の両端は足部１に固定して設けられ、かつ回転接続ロッド７によりシート部２と動的に接続し、シート部２を垂直にして片付けた状態において、すなわち風呂椅子を片付けて洗浄する時、回転接続ロッド７と座面５とは水平位置を保つ。プランジャ９内に凹溝１０が設けられ、プランジャ９の直径はスロット６の幅と一致する。プランジャ９を挿入時に弾性空間を有する。中実硬質がスロット６内に挿入され、力を要し容易に破損し、使用寿命に影響を及ぼすのを回避する。プランジャ９はスロット６内に挿合され、座面をロックして位置を空ける。風呂椅子を使用時に、シート部２は水平状態に置かれる。回転接続ロッド７と座面５とは垂直位置を保つ。プランジャ９とスロット６とが分離状態になるように、プランジャ９は回転接続ロッド７によりスロット６から引き出される。
【００１３】
本実施の形態の緩み防止風呂椅子は、上記構造を有することにより、以下のような有益な効果が得られる。
【００１４】
足部１の間に座面荷重支柱３が設けられ、バッククッション４の一端に座面５が延設され、座面５にスロット６が設けられ、座面荷重支柱３に回転接続ロッド７が嵌め合わされ、回転接続ロッド７の頂端に回転ピン８が設けられ、回転ピン８は座面５を貫通し、それと軸方向で接続し、回転接続ロッド７に締め付け部材が設けられ、締め付け部材はプランジャ９であり、プランジャ９とスロット６とは対応して係合し、座面荷重支柱３の両端は足部１に固定して設けられ、かつ回転接続ロッド７によりシート部２と動的に接続し、シート部２を垂直にして片付けた状態において、回転接続ロッド７と座面５とは水平位置を保ち、プランジャ９はスロット６内に挿合される。ロック時に位置を空け、プランジャ９内に凹溝１０が設けられ、係合時にプランジャ９は十分な弾性を有し、足部１が容易に位置ずれしないように、回転接続ロッド７を水平状態で座面５に固定するのに役立ち、足部１が緩むのを防止できる。シート部２を水平にして置いた状態において、回転接続ロッド７と座面５とは垂直位置を保つ。プランジャ９は回転接続ロッド７に引き出され、プランジャ９とスロット６とを簡単に分離でき、椅子の正常な使用に影響を及ぼさない。全体構造を低コストに改良できる。既存の回転接続ロッドにプランジャ９を増設するだけでよく、座面５にプランジャ９とフィットする凹溝１０を設ければよい。その構造が簡易であり、操作し易く、使用寿命を延ばすことができる。
【００１５】
以上のように、本実施の形態における緩み防止風呂椅子は、足部１およびシート部２を備え、足部１の間に座面荷重支柱３が設けられ、シート部２の下端にバッククッション４が設けられ、バッククッション４の一端に座面５が延設され、座面５にスロット６が設けられ、座面荷重支柱３に回転接続ロッド７が嵌め合わされ、回転接続ロッド７の頂端に回転ピン８が設けられ、回転ピン８は座面５を貫通し、それと軸方向で接続し、回転接続ロッド７に締め付け部材が設けられ、締め付け部材はプランジャ９であり、プランジャ９内に凹溝１０が設けられ、プランジャ９とスロット６とは対応して係合する。
【００１６】
例えば、座面荷重支柱３の両端は足部１に固定して設けられ、かつ回転接続ロッド７によりシート部２と動的に接続し、シート部２を垂直にして片付けた状態において、回転接続ロッド７と座面５とは水平位置を保ち、プランジャ９はスロット６内に挿合されてもよい。
【００１７】
例えば、座面荷重支柱３の両端は足部１に固定して設けられ、かつ回転接続ロッド７によりシート部２と動的に接続し、シート部２を水平にして置いた状態において、回転接続ロッド７と座面５とは垂直位置を保ち、プランジャ９とスロット６とは分離状態にあってもよい。
【００１８】
例えば、プランジャ９の直径はスロット６の幅と一致してもよい。
【００１９】
以上、本発明に係る緩み防止風呂椅子について、上記実施の形態に基づいて説明したが、本発明は、上記の実施の形態に限定されるものではない。
【００２０】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００２１】
１    足部
２    シート部
３    座面荷重支柱
４    バッククッション
５    座面
６    スロット
７    回転接続ロッド
８    回転ピン
９    プランジャ
１０    凹溝
【図１】
2017192731.tif 000003
【図２】
2017192731.tif 000004
【図３】
2017192731.tif 000005
【図４】
2017192731.tif 000006